(57)【要約】      （修正有）【課題】多数の人の開始時刻にバラツキがあっても、順次開始から終了までの予め定められた時間を視覚的に容易に計測することができ、しかも、１台の装置で多数の人が利用可能な経過時間管理用の時間表示装置を提供する。【解決手段】経過時間管理用の時間表示装置は、外形を時間管理する項目に図形化した形状に形成され、円環状に複数個の指標２を配列した固定表示板１と、指標の一つを露出させる窓部６が指標を通過するように設けられると共に指標と同心円に回転する回転板５と、回転板と同軸かつ高速で回転するとともに、時間管理項目として用いる器具を模した形状に形成した動作表示体７と、固定表示板１の裏面側に設けられ、回転板及び動作表示体を所定時間で回転させる駆動ムーブメントとを備え、窓部６が所定の指標２を露出したときを起点として、回転板が１周して再び同じ指標を露出することにより所定の時間が経過したことを表示する。【選択図】図１
0003191870.tif 000002
【実用新案登録請求の範囲】
【請求項１】
外形を時間管理する項目に図形化した形状に形成され、円環状に複数個の指標を配列した固定表示板と、
上記指標の一つを露出させる窓部が上記指標を通過するように設けられると共に上記指標と同心円に回転する回転板と、
上記回転板と同軸かつ高速で回転するとともに、上記時間管理項目として用いる器具を模した形状に形成した動作表示体と、
上記固定表示板の裏面側に設けられ、上記回転板及び動作表示体を所定時間で回転させる駆動ムーブメントとを備え、
上記回転板の上記窓部が上記固定表示板の所定の上記指標を露出したときを起点として、上記回転板が１周して再び同じ上記指標を露出することにより所定の時間が経過したことを表示する経過時間管理用の時間表示装置。
【請求項２】
時間管理する項目が歯みがき時間であり、上記固定表示板が歯を図形化した形状に形成され、上記動作表示体に少なくとも一部を歯みがきに用いる歯ブラシを模した形状に形成された請求項１に記載の経過時間管理用の時間表示装置。
【考案の詳細な説明】
【技術分野】
【０００１】  本考案は、所定の管理すべき時間が経過したことを使用者に知らせるための経過時間表示装置に関する。
【背景技術】
【０００２】  一般に、歯みがきは予防歯科として大切なものであり、歯に付いた細菌の塊である歯垢を除去するために、１回の歯みがき時間は最低３分が必要であると推奨している。この３分の歯みがき時間は意外に長く、時計やタイマー等で測ることを勧めている。また、この種のタイマーとしては、例えば、実開平６−４１５４０号公報（特許文献１）に示すような、歯ブラシ本体にタイマーを内蔵させ、設定時間が経過したときに電子音を発生させるものや、実開平５−８２３２１号公報（特許文献２）に示すような、歯ブラシホルダーにタイマー機能を備えたデジタルウォッチを取り付け、歯ブラシの取外し操作によりタイマーをスタートさせて歯みがき時間を表示するものが提案されている。【０００３】
【特許文献１】実開平６−４１５４０号公報
【特許文献２】実開平５−８２３２１号公報
【考案の開示】
【考案が解決しようとする課題】
【０００４】  幼稚園や小学校、あるいは育児施設等で多数の幼児や児童に対して、正しい方法によって歯みがき習慣を付ける場合、幼児や児童は一斉に歯みがきを始めることが少なく、指導者が号令しても開始するまでに数分以上のバラツキが生じ、開始時刻が各々異なることがある。ところが、特許文献１、２に示されたタイマー、あるいは、時計やストップウオッチは１台のため、号令によってスタートさせても、遅れて始めた幼児や児童は、歯みがき時間が所定の時間よりも短くなり、正しい歯みがきができない問題がある。また、特許文献１、２に示されたようなタイマーを人数分揃えることは、各施設等においては多額の費用が必要になることから、実際には歯みがき用タイマーが実用に供されていないのが実情である。【０００５】  そこで、本考案の目的は、この問題を解決し、多数の人の開始時刻にバラツキがあっても、順次開始から終了までの予め定められた時間を視覚的に容易に計測することができ、しかも、１台の装置で多数の人が利用可能な経過時間管理用の時間表示装置を提供することにある。
【課題を解決するための手段】
【０００６】  上記課題を解決するため、本考案による経過時間管理用の時間表示装置は、外形を時間管理する項目に図形化した形状に形成され、円環状に複数個の指標を配列した固定表示板と、上記指標の一つを露出させる窓部が上記指標を通過するように設けられると共に上記指標と同心円に回転する回転板と、上記回転板と同軸かつ高速で回転するとともに、上記時間管理項目として用いる器具を模した形状に形成した動作表示体と、上記固定表示板の裏面側に設けられ、上記回転板及び動作表示体を所定時間で回転させる駆動ムーブメントとを備え、上記回転板の上記窓部が上記固定表示板の所定の上記指標を露出したときを起点として、上記回転板が１周して再び同じ上記指標を露出することにより所定の時間が経過したことを表示することを要旨としている。【０００７】  さらに、本考案の経過時間管理用の時間表示装置は、時間管理する項目が歯みがき時間であり、上記固定表示板が歯を図形化した形状に形成され、上記動作表示体に少なくとも一部を歯みがきに用いる歯ブラシを模した形状に形成することにより、歯みがき用タイマーとして使用することが望ましい。
【考案の効果】
【０００８】  本考案の経過時間管理用の時間表示装置によれば、外形が時間管理する項目に図形化した形状に形成され、さらに、動作表示体を時間管理項目として用いる器具に模した形状に形成されているので、幼稚園や小学校、あるいは育児施設等の幼児や児童であっても、使用目的を容易に理解させることができ、正しい指導や教育が可能となる。また、固定表示板には、複数個の指標が円環状に配列され、この指標と同心円に回転する回転板には、上記指標の一つを露出させる窓部が設けられているので、駆動ムーブメントによって回転板が回転するとき、開始時には、窓部に露出された指標を目視して起点とし、回転板が１回転して再び窓部に露出された同じ指標を目視したときを終了時とすることにより、予め定められた経過時間を視覚的に容易に計測することができる。これは多数の人が利用する場合でも同様であり、各々の人が、窓部に露出された指標を起点として開始し、回転板が１回転して再び窓部に同じ指標が露出したときを終了することにより、各々の人が所定の経過時間を視覚的に計測することができる。【０００９】  また、固定表示板を図形化した歯の形状に形成し、動作表示体に歯ブラシを模した形状を形成することにより、幼稚園や小学校、あるいは育児施設等の幼児や児童が、個別に開始から終了時を把握して、所定の正しい歯みがき時間を認識することができる。これにより、集団であっても全員に対して所定の時間歯みがきを行うことが可能となる
【考案を実施するための最良の形態】
【００１０】  本考案による経過時間管理用の時間表示装置は、外形を時間管理する項目に図形化した形状に形成され、円環状に複数個の指標を配列した固定表示板と、上記指標の一つを露出させる窓部が上記指標を通過するように設けられると共に上記指標と同心円に回転する回転板と、上記回転板と同軸かつ高速で回転するとともに、上記時間管理項目として用いる器具を模した形状に形成した動作表示体と、上記固定表示板の裏面側に設けられ、上記回転板及び動作表示体を所定時間で回転させる駆動ムーブメントとを備え、上記回転板の上記窓部が上記固定表示板の所定の上記指標を露出したときを起点として、上記回転板が１周して再び同じ上記指標を露出することにより所定の時間が経過したことを表示する。【００１１】  以下、図面に基いて本考案の好適な実施例について説明する。図１は、本考案による経過時間管理用の時間表示装置を示す平面図である。この実施例においては、１回の歯みがきに必要な時間を視覚的に表示するための時間表示装置について説明する。固定表示板１は、例えば、プラスチック板や木製板、或いは、段ボールによって円盤上に形成され、外形を図形化した歯の形状に形成している。この固定表示板１の形状は、時間表示装置が歯みがき時間を時間管理する項目としているため、歯みがきの対象である歯を図形化した形状としている。さらに、固定表示板１の表面には、図２に示すように、６個の指標２が円環状に等角度で配列されている。【００１２】  固定表示板１の裏面には、図４に示すように、駆動ムーブメント３が配設され、固定表示板１に穿設された透孔１ａから、回転軸４を表面側に突出させている。回転軸４は、２重構造となっていて、外側の筒状軸が一般の時計における分針駆動用の軸に相当し、内側の軸が一般の時計における秒針駆動用の軸に相当する。駆動ムーブメント３の構成としては、一般に周知の時計用の構成と同様であり、詳細な説明は省略するが、周知の時計と相違する点は、外側の筒状軸が、例えば３分、５分、１０分等の予め設定された所定の時間で１周するように設定されていることである。また、内側の軸については、周知の時計と同様に１分で１周するように設定しても良いが、これに限らず、少なくとも外側の筒状軸よりも高速で回転するように設定されている。なお、駆動ムーブメント３は、電気的に回転駆動する同期モータ、或いは、ゼンマイを駆動源とするオルゴールが好ましい。【００１３】  固定表示板１の表面には、図２に示すように、回転板５が回転軸４の外側の筒状軸の上端に載置固定されている。回転板５は、図３に示すように、指標２の一つを露出させるための窓部６が設けられている。図１に示す実施例においては、窓部６として、回転板５の一部を半円状に切開している。そして、窓部６は、指標２を通過する位置に設けられ、指標２の一つを露出させ、他の指標２は遮蔽するようにしている。このため、駆動ムーブメント３の回転駆動によって回転板５が回転すると、窓部６から１個の指標２が順次１個づつ露出される。【００１４】  回転板５の上面側には、図１及び図３に示すように、動作表示体７が回転軸４の内側の軸の上端に載置固定されている。動作表示体７は、図示のように、中央が円盤状に形��され、外周から歯ブラシを模したブラシ部分と柄の形状が突出形成されている。中央の円盤状部分の中心には、駆動ムーブメント３の内側の軸に取り付けられている。このように、回転板５と同軸に設けられた動作表示体７は、回転板５よりも高速で回転し、幼児や児童等の利用者が視覚的に経過時間表示装置の動作状態を確認できるようにしている。また、動作表示体７に歯ブラシを模した形状を形成することにより、上述した固定表示板１の形状とともに、歯みがきに必要な時間を表示するためのものであることを視覚的に表している。【００１５】  次に、本考案による経過時間管理用の時間表示装置の動作について歯みがきを例として、図５によって説明する。経過時間表示装置の回転板５は、駆動ムーブメント３の回転駆動によって１周を３分で矢示の時計方向に回転している。幼稚園や小学校、あるいは育児施設等で多数の幼児や児童に対して、保育士や指導者が歯みがきを開始するよう指示する。このとき、幼児や児童が図５（Ａ）に示す回転板５を目視する。回転板５には指標２の一個を露出させるための窓部６が設けられているので、固定表示板１の表面に配列された指標２の一個が露出されている。幼児や児童は、この指標２を目視して記憶する。その後、図５（Ｂ）に示すように回転板５が回転し、やがて図５（Ｃ）に示す位置まで回転した後、再び図５（Ａ）に示す位置まで回転し、歯みがきを開始したときの指標２が露出される。この時点で３分が経過し、幼児や児童は歯みがきを終了する。【００１６】  一方、幼児や児童の中には、保育士や指導者の指示から遅れて開始する者がいる。この場合は、開始したときに、図５（Ｂ）に示す位置で指標２が回転板５の窓部６から露出しているので、この指標２を目視して記憶する。そして、回転板５が１回転して再び同じ指標２が露出したときに歯みがきを終了すれば良い。【００１７】  また、この間、回転板５と同軸に設けられた動作表示体７が回転板５よりも高速で回転し、経過時間表示装置が動作中であることを示している。この動作表示体７には、時間管理項目として用いる歯ブラシに模した形状に形成されているので、歯みがきを楽しみながら行うことができ、このため、正しい指導や教育が可能となる。【００１８】  以上、本考案を実施例に基づき具体的に説明したが、本考案は上記実施例に限定されるものではなく、その要旨を逸脱しない範囲で種々変形可能であることは言うまでもない。例えば、上述した実施例においては、回転板が１周する時間を３分とした例を示したが、駆動ムーブメントの設定によって必要な時間に設定することができる。また、指標を文字、記号、イラスト等に変更してもよい。さらに、固定表示板や回転板を平板状に形成した例を示したが、略皿状に形成する等、立体的に構成しても良い。
【産業上の利用可能性】
【００１９】  本考案は、種々の経過時間を多数の人が認識するための経過時間表示装置に適用可能である。
【図面の簡単な説明】
【００２０】
【図１】本考案による経過時間表示装置を示す平面図である。
【図２】図１に示す経過時間表示装置の固定表示板を示す平面図である。
【図３】図１に示す経過時間表示装置の動作表示体を示す平面図である。
【図４】図１に示す経過時間表示装置を示す断面図である。
【図５】（Ａ）（Ｂ）（Ｃ）は、経過時間表示装置の動作を示す説明図である。
【符号の説明】
【００２１】１  固定表示板
２  指標
３  駆動ムーブメント
５  回転板
６  窓部
７  動作表示体
８  表示具
【図１】
0003191870.tif 000003
【図２】
0003191870.tif 000004
【図３】
0003191870.tif 000005
【図４】
0003191870.tif 000006
【図５】
0003191870.tif 000007